(57)【特許請求の範囲】
【請求項１】
内部に収納したペーパータオル束からペーパータオルを引き出すための取出口を有するケース本体と、このケース本体を設置場所に設置するための設置体とを備え、
前記ケース本体に第１係止部と第２係止部とが設けられ、このケース本体の第１係止部及び第２係止部は、それぞれ底面が対面するようにして配された一対の平行に延在する凹溝であるとともに、第１係止部の各凹溝間の仮想面と第２係止部の各凹溝間の仮想面とが所定角度で交差するように配されており、
前記設置体に前記ケース本体の各係止部と係合する設置体側係止部が設けられ、この設置体の設置体側係止部は、頂面が対面するように配された一対の平行に延在する凸部であり、
前記設置体が、板状をなし一方面側に設置体側係止部を有し、他方面側が壁面に接する接地面とされているものであり、
前記ケース本体と前記設置体とが、前記ケース本体の各係止部に係る凹溝に対して、前記凸部を嵌挿することで係止されるように構成され、
前記ケース本体と前記設置体とが、前記第１係止部と設置体側係止部とを係止させた際と、第２係止部と設置体側係止部とを係合させた際とで、前記ケース本体の取出口の臨む方向が異なるように係止され、かつ、各係止部による係止が着脱自在な係止である、
ことを特徴とするペーパータオル用ディスペンサー。
【発明の詳細な説明】
【技術分野】
【０００１】
本発明は、ペーパータオルを収納し、取出口から取り出すペーパータオル用ディスペンサーに関する。
【背景技術】
【０００２】
キッチンペーパー、清拭用ワイプ等の所謂ペーパータオルと称されるもののディスペンサーは、ペーパータオルを収納する本体の背面を適宜の手段により壁に対面させて設置し、底部に設けた取出口からペーパータオルを引き出して使用する形態（特許文献１〜３等）、据え置き型、卓上型の形態のものが知られる（特許文献４〜５等）。
【０００３】
しかし、ペーパータオルの取り出し口がケース底面に設けられている壁面設置タイプのディスペンサーは、使用者の腰より低い比較的低い箇所に設置すると、ペーパータオルを引き出す操作が困難となる。
【０００４】
また、卓上型のディスペンサーは、設置場所に据え置いた際に、上面に取り出し口が位置する構造であり、上面が使用者の目線より高くなる高所に設置して、恒常的に使用することは困難であり、必然的に取出口のある上面が使用者目線よりも低い位置に設置場所が限られる。
【０００５】
他方、下記特許文献５に示されるディスペンサーは、卓上型を基本として壁面設置にも対応したものであるが、ペーパータオルの引出し方向が下方方向に固定されているため、高さ方向の設置の自由度は壁面設置タイプと同様である。
【０００６】
したがって、従来のペーパータオル用ディスペンサーでは、各々の職場、公共の施設、一般家庭等において、その使用者、使用場面に応じたディスペンサーを選定しなければならない不便さがあった。
【先行技術文献】
【特許文献】
【０００７】
【特許文献１】特開平０６−１４４４４８号公報
【特許文献２】特開２００６−２０４４０４号公報
【特許文献３】特開２００１−８７１６１号公報
【特許文献４】特開２０１０−７６８１１号公報
【特許文献５】実用新案登録第３１３７５８２号公報
【特許文献６】特開２００２−３３７９６１号公報
【発明の概要】
【発明が解決しようとする課題】
【０００８】
そこで、本発明の主たる課題は、設置態様やペーパータオルの引出し方向が限定されず、設置場所の自由度、使用態様の自由度の高い、スペースの限られる場所でも好適に使用できるペーパータオル用ディスペンサーを提供することにある。
【課題を解決するための手段】
【０００９】
上記課題を解決した本発明及び作用効果は次記のとおりである。
【００１０】
＜請求項１記載の発明＞
内部に収納したペーパータオル束からペーパータオルを引き出すための取出口を有するケース本体と、このケース本体を設置場所に設置するための設置体とを備え、
前記ケース本体に第１係止部と第２係止部とが設けられ、このケース本体の第１係止部及び第２係止部は、それぞれ底面が対面するようにして配された一対の平行に延在する凹溝であるとともに、第１係止部の各凹溝間の仮想面と第２係止部の各凹溝間の仮想面とが所定角度で交差するように配されており、
前記設置体に前記ケース本体の各係止部と係合する設置体側係止部が設けられ、この設置体の設置体側係止部は、頂面が対面するように配された一対の平行に延在する凸部であり、
前記設置体が、板状をなし一方面側に設置体側係止部を有し、他方面側が壁面に接する接地面とされているものであり、
前記ケース本体と前記設置体とが、前記ケース本体の各係止部に係る凹溝に対して、前記凸部を嵌挿することで係止されるように構成され、
前記ケース本体と前記設置体とが、前記第１係止部と設置体側係止部とを係止させた際と、第２係止部と設置体側係止部とを係合させた際とで、前記ケース本体の取出口の臨む方向が異なるように係止され、かつ、各係止部による係止が着脱自在な係止である、
ことを特徴とするペーパータオル用ディスペンサー。
【００１１】
【００１２】
（作用効果）
本発明は、内部に収めたペーパータオルの取出口を有するケース本体と、設置場所を定める設置体とを別体とするとともに、それらを着脱自在とし、さらにケース本体を設置体に対して、ケース本体の取出口の臨む方向が相違する複数態様で取り付け可能とした。
よって、設置体を設置箇所に設置したのちに、ケース本体のみをその取出口方向を適宜変更して設置することが可能となり、ディスペンサーの設置の自由度が高まる。
特に、係止部を多数もうければ、取出口の方向を細かく調整することが可能となる。
【００１３】
その一方、ディスペンサーにおいては、取出口方向が上方、下方又は側方の何れかが選択できればよいことも多く、この場合、ケース本体に二カ所の係止部を設け、それら係止部に係合する設置体に一カ所の係止部を設ければ、十分に対応可能となる。そして、このようにすれば、多数係止部を設ける場合と比較して、ケース本体の形状の自由度が高まるとともに、係止部を形成するためのコストを低下させることができる。
【００１４】
さらに、前記係止部の構成については、ケース本体の各係止部をそれぞれ底が対面するようにして配された一対の平行に延在する凹溝とし、さらに各係止部に係る各凹溝間の仮想面同士が所定角度で交差するようにするとともに、設置体の設置体側係止部を、頂面が対面するように配された一対の平行に延在する凸部とし、前記ケース本体の各係止部に係る凹溝に対して、前記凸部を嵌挿することで係止されるようにすると、着脱自在にかつ簡易に係止可能となる。また、このようにすると、ケース本体には、ケース外面に係止部に係る凸がなく、もって、ケース本体のみを載置して使用する態様の外観とすることも可能となる。
【００１５】
本発明は、前記設置体が、板状をなし一方面側に係止部を有し、他方面側が壁面に接する接地面となっているものであるので、ケース本体の取出口を壁面に対して、上方、下方、側方（正面側）に向けて配することが容易にできるようになる。したがって、例えば、側壁面、天面、底面等に設置体を取り付け、それに対応した取出口方向にケース本体を取り付けることで、ディスペンサーの設置の自由度が高まる。
【００１６】
なお、請求項１〜３の設置体に代えて、一方面側に係止部を有する設置板と、この設置板を所定高さで支持する台座部とで構成した設置体とすると、卓上型のディスペンサーとすることができる。卓上型とすれば、任意の場所に持ち運び設置することができる。また、ケース本体の設置板に対する取り付け態様を適宜変更することで、その取出口方向を上方、下方、側方を選択することができ、特に、設置板が接地面に対して傾斜するようにして台座部に固定されたものとすれば、ケース本体の取出口方向を載置面に対して角度付けすることが容易となり、使用時に引出し易い方向に取出口方向を臨ませることが容易となる。したがって、例えば、取出口を水平より下方に向けた状態でケース本体を設置体に対して固定するようにすれば、使用者が下方に向ってペーパータオルを引き出す態様になるため、比較的高い位置、例えば使用者の目線よりも高い位置に設置しても使用しやすい。また、ディスペンサーを洗面台、厨房の水回りやフライヤーの近傍など水や汚れが降りかかるような場所で使用したい場合にも、取出口を下方に向けておけば、取出口から当該水や汚れがケース本体内に入り込み束を汚染することがなく、このような場所における使用にも適することになる。また、取出口を水平より上方に向けた状態でケース本体を設置体に対して固定するようにすれば、使用者は上方に向ってペーパータオルを引き出すことになるため、比較的設置場所を低い場所としても使用しやすいものとなる。
【発明の効果】
【００１７】
以上の本発明によれば、設置態様やペーパータオルの引出し方向が限定されず、設置場所の自由度、使用態様の自由度の高い、スペースの限られる場所でも好適に使用できるペーパータオル用ディスペンサーが提供される。
【図面の簡単な説明】
【００１８】
【図１】本発明の参考形態に係るペーパータオル用ディスペンサーの斜視図である。
【図２】本発明に係るペーパータオル用ディスペンサーのケース本体の斜視図である。
【図３】本発明に係るペーパータオル用ディスペンサーのケース本体の断面図である。
【図４】本発明に係るペーパータオル用ディスペンサーのケース本体の他の例の断面図である。
【図５】本発明に係るペーパータオル用ディスペンサーのケース本体の別の例の断面図である。
【図６】本発明の参考形態に係るペーパータオル用ディスペンサーの設置体の斜視図である。
【図７】本発明の参考形態に係るペーパータオル用ディスペンサーにおけるケース本体と設置体との係止態様を示す斜視図である。
【図８】本発明の参考形態に係るペーパータオル用ディスペンサーの他の態様の斜視図である。
【図９】本発明の実施の形態に係るペーパータオル用ディスペンサーの斜視図である。
【図１０】本発明の実施の形態に係る設置体の斜視図である。
【図１１】本発明の実施の形態に係るペーパータオル用ディスペンサーにおけるケース本体と設置体との係止態様を示す斜視図である。
【図１２】本発明の実施の形態に係るペーパータオル用ディスペンサーの他の態様の斜視図である。
【図１３】本発明の実施の形態に係るペーパータオル用ディスペンサーの設置例を示す側面図である。
【図１４】本発明の実施の形態に係るペーパータオル用ディスペンサーの他の設置例を示す側面図である。
【発明を実施するための形態】
【００１９】
次いで、本発明の実施の形態と参考形態を図１〜１４を参照しながら以下に詳述する。
『参考形態』
まず、本発明の参考形態から説明する。この参考形態は、後述の実施形態と設置体が相違している形態であり、キッチン台、洗面台、手洗い場台、作業台、床などの任意の場所に載置して使用する据え置き型、卓上型のペーパータオル用ディスペンサーＸ１（以下、単にディスペンサーＸ１ともいう）のである。本形態に係るディスペンサーは、図１に示すように、ペーパータオルを収納するケース本体１０と、ケース本体１０を設置場所に設置するための設置体２０とで構成される。前記ケース本体１０及び設置体２０とは、それぞれに設けられた係止部１１，１２，２１により着脱自在に係止されて一体化される。
【００２０】
（ペーパータオル）
本形態のディスペンサーＸ１は、坪量２０〜６０ｇ／ｍ2程度の複数の方形のペーパータオルを実質的に二つ折りにし、各折り返し片の縁を上下に隣接するペーパータオルの折り返し内面に位置するようにして互い違いに重なり合うように積層し、積層最上部又は積層最下部の一枚の折り返し片を引っ張ると、ペーパータオルが有する紙特有の摩擦等によって、隣接するペーパータオルの折り返し片がつられて引き上げられるように束としたものに適する。このペーパータオル束１（以下、単に束１ともいう）はインターフォルダと称される折り機によって一般的に製造され、積層に伴う若干のずれはあるものの概ね直方体形状をなす。なお、本発明にかかるペーパータオルは、ロール形態のものについても使用できるが、以下、上記束１を収めたものを例として説明する。また、本明細書においては、束１のペーパータオルが引き出されていくことになる積層最上面或いは積層最下面の何れかの面を引出し側面１Ａと称する。
【００２１】
（ケース本体）
本形態のディスペンサーＸ１に係るケース本体１０は、図２、３に示すように、正面板部１３、長側板部１４，１４、背面板部１５、短側板部１６，１６とで構成され、束１の大きさよりもやや大きい直方体の内部空間１０Ａを有し、前記正面板部１３に幅方向に延在するスリット状のペーパータオルの取出口１７が形成されている。この取出口１７を介してペーパータオルがケース本体１０外へと引き出される。
【００２２】
正面板部１１は、市販の一般的な束の大きさを考慮すると、長手方向長さＬ１が２１０〜２５０ｍｍ程度、短手方向長さＬ２が８０〜１２０ｍｍ程度であり、スリット状の取出口１７の長さＬ３は、束１の幅よりも若干長く概ね２００〜２４０ｍｍ程度である。
【００２３】
他方、前記取出口１７は、正面板部１３に形成された略長方形状の開口部分１３Ａがケース本体内面側から被覆する柔軟性のあるシート材１８に形成されており、かかるシート材１８に取出口１７を形成することで、引出し時にペーパータオルがニップされるようになり引出し性が向上する。特に、ペーパータオルの使用が進みケース本体１０内部に保持されるペーパータオル残量が少なくなってきた際においても、多数枚が一度に引き出されるような事故なく一枚ずつ引き出すことが可能となる。シート材１８の具体的素材は、シリコンシート、ゴムシート、フィルムシートが例示できる。また、図示例の如く、ケース本体内部側の開口周縁部を被覆するようにしてシート材１８を設けることにより、前記シート材１８によって、当該開口周縁部におけるペーパータオルの滑りを調整することができ、好適な引出し性とすることができる。なお、取出口１７は、上記態様に限らず、ケース本体１０の正面板部に直接的にスリット状の開口を形成して構成してもよい。
【００２４】
他方、本形態のディスペンサーにおいては、図４、図５に示すように、ケース本体１０内における束１の崩れを防止すべく、束１の引出し側面１Ａと反対面のペーパータオル束背面側面１Ｂを押しつつ正面板部側に移動するようにした押持体３０を設けることができる。図４に示す例では、前記押持体３０は、束１の背面側面１Ｂとほぼおなじ大きさの直方体形状の押え板３１を、背面板部１５に対してスプリング等の弦巻バネ３２を介して連結し、前記押え板３１が正面板部側へ付勢されるようにしている。前記押え板３１と正面板部１３との間に束１を介在させることで、押え板３１と正面板部１１との間で束１が挟持され束１の崩れが防止される。また、図５に示す例では、ケース本体内面に対して、板バネ３３の一方縁３３Ａを固定し、他方縁側３３Ｂが正面板側に付勢されるように構成して押持体を構成している。
【００２５】
ここで、ケース本体１０は、図示例においては、概ね直六面体形状の外観をなしているが、本形態のディスペンサーＸ１は、このような外観に限定されず適宜の意匠とすることができる。但し、省スペース化の点で、また、設置体２０を用いずに背面板部１５を介して接地面に載置してケース本体１０のみで使用可能とすることができる利点があることなどから、上記の直六面体形状のケース本体１０とするのが望ましい。
【００２６】
なお、ケース本体内へ束１を収納するには、既知の開閉構成をとることができる。例えば、ケース本体１０の各板面部の何れかを隣接する板面部に対してヒンジ接続して開閉自在な蓋体とすることが例示できる。
【００２７】
また、ケース本体１０の素材については、アクリル樹脂、ユリア樹脂、ＡＢＳ樹脂、ポリプロピレン樹脂等の合成樹脂素材、ステンレス材やアルミ材等の金属素材、段ボール紙やコートボール紙等の紙素材、木材等適宜の素材を選択することができる。特に好ましくは、耐水性、成型性、剛性に優れる合成樹脂素材である。なお、ケース本体１０の一部又は全部に透明素材を用いてケース本体１０の一部又は全部を透明とすると、内部に収納した束１の状況を外部から視認しやすくなるので、このようにするのが望ましい。
【００２８】
ここで、本形態に係るケース本体には、設置体と一体化するための係止部が複数設けられている。本形態のケース本体１０では、第１係止部１１及び第２係止部１２の二つの係止部が設けられている。この第１係止部１１及び第２係止部１２は、それぞれ底面が対面するようにして配された一対の平行に延在する凹溝１１Ａ，１１Ｂ，１２Ａ，１２Ｂであり、本形態では、第１係止部１１に係る凹溝１１Ａ，１１Ｂが、各長側板部１４，１４の背面板部近傍に形成され、第２係止部１２に係る凹溝１２Ａ，１２Ｂが、正面板部１３及び背面板部１５の一方長側板部近傍に形成されている。また、第１係止部１１の各凹溝間の仮想面１１ｘと第２係止部１２の各凹溝間の仮想面１２ｘとが所定角度で交差するように配され、本形態では、各仮想面１１ｘ，１２ｘの交差各∠Ａは９０度となっている。また、本形態では、各凹溝１１Ａ，１１Ｂ，１２Ａ，１２Ｂは、短側面板部１６，１６に開放して形成されて、当該短側面板部１６，１６側からこれら凹溝内に凸部を挿入することが可能となっている。
【００２９】
（設置体）
他方、本参考形態に係る設置体２０は、前記ケース本体１０を所定高さで固定し、作業台等の任意の場所に載置して設置可能にするためのものである。参考形態の設置体２０は、図６に示すように、方形の設置板２２と、この設置板２２を所定高さに支持する台座部２３とで構成されている。前記台座部２３は、前記設置板２２の下面側部にそれぞれ固定された一対の所定高さを有する板状部材であり、その下縁を接地面として前記設置板２２を上縁側にて支持し、所定高さで支持している。但し、台座部２３の構成はこの形態に限定されるものではなく、前記設置板２２を適当な高さに支持できる構造、形状であればよい。
【００３０】
他方、前記設置板２２は、上面側に平行な各縁部から所定長さで縁が直角に立設するように延在された延在部２４，２４が形成された略コ字状をなし、その延在部分２４，２４に前記ケース本体１０の第１係止部１１又は第２係止部１２と係止する設置体側係止部２１が設けられている。この設置体側係止部２１は、前記延在部分２４に頂部が対面するようにして形成された一対の凸条部２１Ａ，２１Ｂで構成され、その大きさは、前記ケース本体１０の各係止部に係る凹溝内に嵌挿可能な大きさ、形状とされている。そして、前記一対の凸条部間の距離Ｌ４が、前記ケース本体１０の各係止部１１，１２の凹溝の上縁間より長く、かつ、底部間の距離よりも短い距離とされ、もって、前記凸条部２１Ａ，２１Ｂをケース本体１０の各係止部に係る凹溝に嵌挿することが可能となっている。
【００３１】
（係止態様）
本形態のディスペンサーＸ１では、上記のケース本体１０及び設置体２０の態様のもと、ケース本体１０の第１係止部１１又は第２係止部１２の凹溝１１Ａ，１１Ｂ，１２Ａ，１２Ｂに対して、図７に示すように、そのケース本体１０の短側面板部１６，１６の凹溝開放部分から設置板２２に形成された設置体側係止部２１に係る凸条部２１Ａ，２１Ｂを挿入し、スライドするようにして係止させる。本形態では、ケース本体１０の第１係止部１１に係る凹溝１１Ａ，１１Ｂが長側面板部１４，１４に形成され、第２係止部１２に係る凹溝１２Ａ，１２Ｂが正面板部１３と背面板部１５とに形成されていることから、前記第１係止部１１と設置板側係止部２１とを係止させた態様では、図１に示すように、取出口１７が上方に臨むようになり、第２係止部１２と設置体側係止部２１とを係止させた態様では、図８に示すように取出口１７が側方に臨むように固定される。このように本形態では、ケース本体１０の各係止部１１，１２のいずれを設置体側係止部２１に係止させるか選択することで、取出口１７の臨む方向が変更可能となる。
【００３２】
また、本形態では、上記の係止態様をとることから、ケース本体１０の係止部１１，１２と設置体側係止部２１とが係止された状態において、ペーパータオルを引出す操作を行なっても係止が外れることなく使用時においては設置体とケース本体とが一体となった状態が維持される。
【００３３】
（その他）
ここで、本形態のディスペンサーＸ１では、前記設置体２０について、前記台座部２３を介して接地面に載置した際に、設置板２２が接地面に対して傾斜するようにして、前記台座部２３に固定されており、上記のとおりケース本体１０を設置体２０に第１係止部１１を介して係止させた際に、取出口１７が真上よりやや正面側に角度付けされ、また、第２係止部１２を介して係止させた際に、取出口１７が真横よりもやや下方に角度付けされるようにしており、ペーパータオルの引出し性を向上させている。この設置板２０の傾斜角については、適宜設計すればよい。
【００３４】
また、本形態のディスペンサーＸ１は、卓上型であることから、引出し操作の際に持ちあがらないように、例えば、設置体２０の重量を重くするのが望ましい。その点から、設置体については、金属素材等とするまたは錘となる金属を設置するのが望ましい。なお、台座部２３の下面に、例えば、ゴム素材、磁石などからなる適宜の滑り止め機構や固定機構を設けてもよい。
【００３５】
『本発明の実施の形態』
本発明の実施形態は、壁面設置タイプのペーパータオル用ディスペンサーＸ２（以下、単にディスペンサーＸ２ともいう）の例である。
本形態に係るディスペンサーＸ２も上記参考形態と同様に、図９に示すように、ペーパータオルを収納するケース本体１０と、ケース本体１０を設置場所に設置するための設置体２０とで構成される。但し、設置体２０の形状、構造が参考形態と相違する。ケース本体１０の構造、係止部の構造、係止態様については、上記参考形態に係るディスペンサーＸ１と同様であり、係る同様の部分については適宜省略して説明し、特に参考形態と相違する本発明に係る設置体２０の構成について以下説明する。また、図中において参考形態と同様の部位について同じ符号を付して説明する。
【００３６】
本実施形態の設置体２０は、図１０に示すように、参考形態における設置板２２と類似の構造を採り、方形の板状をなし、その一方面側に平行な各縁部から所定長さで縁が直角に立設するように延在された延在部２４，２４を有する略コ字状をなす。そして、その延在部分２４，２４に前記ケース本体１０の第１係止部１１又は第２係止部１２と係止する設置体側係止部２１が設けられている。
【００３７】
他方、本形態の設置体２０は、前記延在部２４が立設する面と反対側の面を壁面に対面させて設置するものであり、図示の形態では、一対の連通孔２５，２５が形成され、この連通孔２５，２５に木ネジ２６等を前記延在部２５，２５が立設する面側から挿し、壁面に対して固定するように構成されている。なお、本形態の設置体２０にかかる壁面への固定態様については、これに限定されず、接着剤や両面粘着テープ等を介して固定する態様としてもよい。
【００３８】
本形態においてもケース本体１０と設置体２０との係止については、ケース本体１０の各係止部１１，１２に係る凹溝１１Ａ，１１Ｂ，１２Ａ，１２Ｂに対して、図１１に示すように、設置体２０の凸条部２１Ａ，２１Ａをケース本体１０の短側面板部がわの開放部から挿入し、スライドするようにして係止させる。
本形態においても、ケース本体１０の第１係止部１１と第２係止部１２の選択により、図９及び図１２から理解されるように、その取出口１７が臨む方向が相違するようになっている。
【００３９】
ここで、本形態は、特に設置体２０を側壁面、天井壁面等に設置するに好適である。設置体２０を側壁面に取り付けた際には、図１３（Ａ）〜（Ｃ）に示すように、設置体側係止部２１に係止させるケース本体１０の各係止部１１，１２の選択により、取出口１７を上下方向及び正面方向の何れかに向けて臨ませることが可能となり、図１４（Ａ）〜（Ｃ）に示すように、天井面に設置体２０を取り付けた際には、取出口１７を正面方向、背面方向、下方の何れかに向けて臨ませることが可能となる。
【００４０】
『その他の形態』
以上の参考形態及び実施形態では、ケース本体１０の係止部を第１係止部１１及び第２係止部１２の二つ設けた形態であるが、例えば、正面板部と背面板部に、第１係止部１１から遠い長側板部の近傍に第３係止部を設けて係止部を三つとした構成、或いは、第１係止部や第２係止部に係る凹溝と平行に複数の凹溝を設けて、ケース本体と設置板などからの距離調整、角度調整を可能にした形態とすることもできる。
【符号の説明】
【００４１】
Ｘ１，Ｘ２…ペーパータオル用ディスペンサー、１…ペーパータオル束、１Ａ…ペーパータオル束の引出し側面、１Ｂ…ペーパータオル束の引出し側面と反対面である背面側面、１０…ケース本体、１０Ａ…ケース本体内部空間、１１…第１係止部、１１Ａ，１１Ｂ…第１係止部を構成する凹溝、１２…第２係止部、１２Ａ，１２Ｂ…第２係止部を構成する凹溝、１１ｘ，１２ｘ…仮想面、∠Ａ…仮想面の交差角、１３…正面板部、１４…長側板部、１５…背面板部、１６…短側板部、１７…取出口、１８…シート材、２０…設置体、２１…設置体側係止部、２１Ａ，２１Ｂ…凸条部、２２…設置板、２３…台座部、２４…延在部、２５…連通孔、２６…木ネジ、Ｌ１…正面板部の長手方向長さ、Ｌ２…正面板部の短手方向長さ、Ｌ３…取出口の長さ、Ｌ４…凸条部間の距離、３０…押持体、３１…押え板、３２…弦巻バネ、３３…板バネ、３３Ａ…板バネの固定縁、３３Ｂ…板バネの自由縁。
【図１】
0005869392.tif 000002
【図２】
0005869392.tif 000003
【図３】
0005869392.tif 000004
【図４】
0005869392.tif 000005
【図５】
0005869392.tif 000006
【図６】
0005869392.tif 000007
【図７】
0005869392.tif 000008
【図８】
0005869392.tif 000009
【図９】
0005869392.tif 000010
【図１０】
0005869392.tif 000011
【図１１】
0005869392.tif 000012
【図１２】
0005869392.tif 000013
【図１３】
0005869392.tif 000014
【図１４】
0005869392.tif 000015